(57)【要約】【課題】  取り扱い性及び強度を向上させることのできる段ボール箱を提供する。【解決手段】  段ボール箱１０は、胴体部１５と、胴体部１５の天面側及び背面側にそれぞれ配置される同一構成の２つの蓋体１３とからなる。蓋体１３は、一枚の段ボール板から形成され、この段ボール板を折り込んでいくことで組み立てられ、段ボール板を展開することで解体される。天面側と底面側の蓋体を同じ方法で組み立てられ、また、解体できるため、組み立て及び解体の際の取り扱い性を向上することができる。さらに、胴体部１５の水平方向の断面は縦横比の等しい八角形状とし、蓋体１３にも胴体部１５の八角形に対応するように八面からなる側面板が設けられており、段ボール箱の強度を向上させることができる。【選択図】        図１
2005096803.tif 000002
【特許請求の範囲】
【請求項１】
多数の物品を一括して収容した収容袋を収容する段ボール製梱包箱において、
水平断面が、短辺とその２〜３．５倍の長さをもつ長辺とを１３５°の角度で交互に連ねた八角形をなす筒状の胴体と、この胴体の八つの外周面を上下両端側から部分的に包み込むように覆って、胴体の上下の開口を塞ぐ同一形状の天蓋及び底蓋とからなることを特徴とする段ボール製梱包箱。
【請求項２】
前記胴体と天蓋と底蓋とが、それぞれ１枚の段ボール板を折り曲げて組み立てられていることを特徴とする請求項１記載の段ボール製梱包箱。
【請求項３】
前記蓋体の長辺には第１側面板が、短辺には第２側面板がそれぞれ連設され、
前記第１側面板は両端に係止片を有し、前記第２側面板は前記係止片を包み込むように折り返されることを特徴とする請求項２記載の段ボール製梱包箱。
【請求項４】
前記蓋板の各辺のうち、前記第２側面板が設けられた辺の近傍に係止孔を設けるとともに、前記第２側面板の端部に、折り返された際に前記係止孔に差し込まれて係合する係止突起を設けたことを特徴とする請求項３記載の段ボール製梱包箱。
【請求項５】
前記胴体及び天蓋と底蓋とが縦方向に回された１本の結束バンドで締め付けて固定されていることを特徴とする請求項１〜４いずれか記載の段ボール製梱包箱。
【発明の詳細な説明】
【技術分野】
【０００１】
本発明は、多数の物品を一括収容した収容袋を収容する段ボール製梱包箱に関するものである。
【背景技術】
【０００２】
パトローネ入りの１３５タイプの写真フイルムは、Ｐケースと称される防湿性のプラスチックケースに１個ずつ収容され、さらに、紙箱で梱包した状態で市販される。例えば、輸出する場合には、国ごとにデザインや文字を変えた紙箱で梱包することが出来るように、紙箱での梱包を省略してＰケースに収容したものを、例えば、２００ｋｇ〜３００ｋｇ単位で段ボール製の梱包箱に入れて運搬することが行われている。このようなバラ荷を収容する梱包箱としては、下記特許文献１、下記特許文献２で知られているような段ボール製の梱包箱が多用されている。
【０００３】
これら特許文献１、２で知られる梱包箱は、筒状の胴体と、その上下を覆う天蓋と底蓋とからなる。これらの胴体及び天蓋、底蓋はいずれも１枚の段ボール材を折り曲げて作られており、使用後には展開して簡単に処分し、あるいは展開後再び組み立ててリユースすることが出来るようになっている。
【０００４】
【特許文献１】特開昭５６−９５８４１号公報
【特許文献２】特開平９−２４９２１７号公報
【発明の開示】
【発明が解決しようとする課題】
【０００５】
ところが、特許文献１記載の梱包箱は天蓋と底蓋との形状が異なっているため、リユースする場合には３種類に分割して回収するなど取り扱いが面倒である。また、特許文献２で知られる梱包箱は、水平方向が八角形をなす筒状の胴体と、その上下の開口端部を塞ぐ四角箱形状をした天蓋及び底蓋で構成され、天蓋と底蓋とを入れ替えて使用できる利点はあるものの、天蓋及び底蓋のコーナー部分に荷重が加わったときには変形しやすく、強度的に弱いといった難点がある。
【０００６】
また、特許文献２記載の四角形状をした天蓋及び底蓋は、４つの側面を形成する側面板のうち２つが両端に係止片を有し、残りの２つがこの係止片を包み込むように折り返されるが、係止片、及び、係止片を包み込むように折り返される折り返し部分の面積が大きくなっている。このため、材料として用いる段ボール板の面積が大きくなってしまいコストがかかってしまうといった問題があった。
【０００７】
本発明は、上記従来技術のもつ欠点を解消し、バラ荷を効率よく収容し、かつ周囲から荷重が加わっても変形しにくく、しかも積み重ねたときに上方から加わる荷重に対しても実用的に十分な強度をもつ段ボール製梱包箱を低コストにて提供することを目的とする。
【課題を解決するための手段】
【０００８】
本発明は、上記目的を達成するにあたり、水平断面が、短辺とその２〜３．５倍の長さをもつ長辺とを１３５°の角度で交互に連ねた八角形をなす筒状の胴体と、この胴体の八つの外周面を上下両端側から部分的に包み込むように覆って、胴体の上下の開口を塞ぐ同一形状の天蓋及び底蓋と段ボール製梱包箱を構成したことを特徴としている。
【０００９】
これらを１枚の段ボール材を折り曲げて組み立てたもので構成することが本発明を実施する上で有利である。このとき、蓋体の長辺には第１側面板が、短辺には第２側面板がそれぞれ連設され、第１側面板は両端に係止片を有し、第２側面板は前記係止片を包み込むように折り返されることが好ましい。さらに、蓋板の各辺のうち、第２側面板が設けられた辺の近傍に係止孔を設けるとともに、第２側面板の端部に、折り返された際に前記係止孔に差し込まれて係合する係止突起を設けるとがより好ましい。また、蓋と胴体を縦方向に回した一本の拘束バンドで締めつけ固定して用いるのがよい。
【発明の効果】
【００１０】
本発明を用いた段ボール箱製梱包箱によれば、天蓋と底蓋との形状が全く同じであるから選り分けて使用する必要がなく、使用後の回収も簡便になる。また、胴体、あるいは天蓋及び底蓋の水平断面に現れる八角形を構成する長辺の長さを短辺の長さの２倍以上３．５倍以下にしたので、内容積を十分に確保しながら上積みしたときの耐荷重性を高めることが出来る。さらに、天蓋及び底蓋は、胴体の八つの外周面を包み込むように覆うので周囲から外力が加わっても容易に変形することもない。そして、水平断面の形状が９０°の回転対称であるため、積載するときの姿勢に自由度があり、積み込みの作業も効率化される。
【００１１】
また、天蓋及び底蓋は、糊や金具を使わず組み立て式なので、組み立てや解体が容易である。さらに、天蓋及び底蓋は、両端部に係止片を有する第１側面板を長辺に連設し、この係止片を包み込むように折り返される第２側面板を短辺に連接したので、材料として用いる段ボール板の面積を少なくすることが可能であり、コストを削減することができる。
【発明を実施するための最良の形態】
【００１２】
本発明を実施した段ボール箱の外観図を図１に示す。同図（Ａ）に示すように、段ボール箱１０は、２つの蓋体１３と、胴体部１５とから構成される。同図（Ｂ）に示すように、胴体部１５の天面側及び底面側に、それぞれ向かい合うように蓋体１３が配置される。段ボール箱１０は、内部にビニール袋がセットされ、このビニール袋の中にフイルムケースに格納されたフイルムが詰め込まれる。この後、段ボール箱１０は、縦方向にバンド１９が掛けられ、蓋体１３と胴体部１５とが固定される。また、段ボール箱１０は、フォークリフトなどによって運搬されるため、パレット１７上に設置されて使用される。
【００１３】
図２（Ａ）に、蓋体１３の展開図を示す。蓋体１３は、蓋板２０、第１側面板２３、第２側面板２５からなり、これらが１枚の段ボール板から形成されている。このような蓋体１３は、同図（Ｂ）に示すように、蓋体１３よりも一回り大きな正方形の段ボール板２７を打ち抜いて形成される。
【００１４】
蓋板２０は、長辺３０と短辺３３によって囲まれた八角形状をしている。長辺３０は短辺３３に対して２〜３．５倍長くなっており、長辺３０と短辺３３は交互に連なるように配置されている。そして、長辺３０と短辺３３との交差角は、１３５°となっている。これにより、蓋板２０は、正方形の４角を切り落とした縦横比の等しい八角形状に形成される。また、蓋体２０には、短辺３３の近傍に、後述する係止突起４７が差し込まれる係止孔３５が設けられている。
【００１５】
第１側面板２３は、長辺３０に連設され、蓋板２０の上下左右の四方に設けられている。第１側面板２３には、長辺３０の両端から垂直に延びる折り返し線４０が設けられており、折り返し線４０よりも外側は係止片４３となっている。第１側面板２３は、蓋板２０と垂直になるように、長辺３０より折り返される。この後、係止片４３が短辺３３と平行になるように、折り返し線４０より折り返される。
【００１６】
第２側面板２５は、短辺３３に連設され、蓋板２０の斜めの四方に設けられている。第２側面板２５には、長手方向の中央部に、短辺３３と平行な折り返し線４５が設けられている。また、短辺３３と反対側の端部には、係止突起４７が設けられている。第２側面板２５は、蓋板２０と垂直になるように、短辺３３より折り返される。この後、係止片４３を包み込むようにして、折り返し線４５より折り返される。そして、係止突起４７が係止孔３５に差し込まれ、係止される。
【００１７】
図３に、胴体部１５の展開図を示す。胴体部１５は、１枚の矩形の段ボール板に、複数の折り返し線５０が設けられ、第１側壁板５３と第２側壁板５５とが交互に４枚ずつ形成されている。また、胴体部１５の端部には、接着板５７が形成されている。第１側壁板５３は、幅が蓋板２０の長辺３０よりもやや短く形成され、第２側壁板５５は、幅が蓋板２０の短辺３３よりもやや短く形成されている。胴体部１５は、折り返し線５０により約１周分折り返され、接着板５７が段ボール板の反対側の端部を形成する第１側壁板５０に接着される。これにより、胴体部１５は、断面が蓋板２０と相似の八角形である筒状に形成される。
【００１８】
以下、本発明の作用について説明をする。フイルムを搬送する際には、まず、蓋体１３の組み立てが行われる。蓋体１３の組み立ては、第１側面板２３が、蓋板２０と垂直になるように長辺３０より折り返される。さらに、第１側面板２３は、係止片４３が短辺３３と平行になるように、折り返し線４０より折り返される。続いて、第２側面板２５が、蓋板２０と垂直になるように短辺３３より折り返される。さらに、第２側面板２５は、係止片４３を包み込むように折り返し線４５より折り返される。そして、係止突起４７が係止孔３５に差し込まれ、蓋体１３が組み立てられる。蓋体１３は、２つ組み立てられる。
【００１９】
２つの蓋体１３のうち一方は、パレット１７上に設置される。パレット１７上に設置された蓋体１３の第１、第２の各側面板２３、２５内側には、胴体部１５が配置される。さらに、胴体部１５の内側には、例えば、防湿用のポリエチレン製のビニール袋がセットされ、このビニール袋の中にフイルムケースに格納されたフイルムが詰め込まれる。フイルムが詰め込まれた後は、ビニール袋が封印され、残った蓋体１３が、胴体部１５の天面側からかぶせられる。このようにしてフイルムの詰め込まれた段ボール箱１０は、バンド１９により固定され、パレット１７ごと搬送先に搬送される。
【００２０】
搬送先では、段ボール箱１０からフイルムが取り出された後、段ボール箱１０の解体が行われる。蓋体１３は、係止突起４７と係止孔３５から引き抜いて、第１、第２の各側面板２３、２５を展開することによって１枚の段ボール板に解体される。胴体部１５は、筒状であるので、側面と垂直な方向に押圧することによって、つぶされて薄型にされる。このようにして、搬送後の段ボール箱１０は解体され体積が減らされた後、搬送元に返却される。
【００２１】
以上のように、段ボール箱１０は、胴体部１５の天面側及び底面側に同一構成の蓋体１３を配置するようにしたので、天面側と底面側の蓋体を同じ方法で組み立てられ、また、解体できる。このため、天面側と底面側の蓋体の構成が異なり、それぞれ異なる方法で組み立て及び解体を行う場合と比較すると、組み立て及び解体の際の取り扱い性を向上することができる。また、水平断面の形状が９０°の回転対称であるため、積載するときの姿勢に自由度があり、積み込みの作業も効率化される。
【００２２】
さらに、水平断面が縦横比の等しい八角形であり、また、蓋体１３も、胴体部１５の八角形に対応するように八面からなる側面板を有するので、段ボール箱の強度を向上させることができる。このため、同じ重さのフイルムを詰め込む場合には、段ボール箱の材料として、従来の段ボール板よりも強度を下げたより安価な段ボール板を使用することが可能であり、コストを下げることができる。
【００２３】
また、図４に示す、蓋体６０のように、蓋板６１として水平断面が正方形のものを使用した場合には、第１側面板６３に連設する係止片６５や、第２側面板６７のうち係止片６５を包み込むように折り返される折り返し部分（図中斜線で示す部分）の面積が大きくなってしまうので、材料として用いる段ボール板の面積が大きくなりコストがかかってしまう。なお、この蓋体６０においては、係止片６５の長さに関しては、短く設定することが可能であるが、そのようにしても必要な段ボール板の面積が変わらないばかりか、蓋体６０を打ち抜いた際の抜きかすが増えてしまうので効率が良くない。
【実施例】
【００２４】
以下、本発明の具体的な実施例について、形状や材料などの仕様が異なる比較例と比較しながら説明する。図５に、比較例及び実施例それぞれの段ボール箱の外観、水平断面、蓋体が打ち抜かれる段ボール板を示す。また、図６に、それぞれの段ボール箱の寸法、材料、圧縮強度、重量、コストを示す。実施例、比較例ともに写真フイルムを搬送する際に用いられる段ボール箱であり、Ｐケースに収容された８０００本（約２５０ｋｇ）の写真フイルムが詰め込まれるものである。
【００２５】
［比較例］
比較例は、従来本出願人がフイルム搬送の際に使用していた段ボール箱である。この段ボール箱の高さは７９０．０ｍｍである。段ボール箱の水平断面は横長の八角形であり、縦幅Ｌａは１１９６．０ｍｍ、横幅Ｗａは７９６．０ｍｍ、縦横比Ｌａ／Ｗａは２．８である。八角形を構成する８つの辺は同じ長さであり、この辺の長さＸは４２５．０ｍｍである。また、この八角形の面積（段ボール箱の底面積）は、８８９７８０．８ｍｍ2 である。
【００２６】
この段ボール箱の蓋板は、縦幅Ｌｂが１４０２．０ｍｍ、横幅Ｗｂが１５９６．０ｍｍ、面積２２３７５９２．０ｍｍ2 の長方形の段ボール板から打ち抜いて形成される。段ボール箱を形成するにあたり、蓋体の材料としては強度は低いが安価であるタイプＡの段ボール板を用い、より荷重のかかる胴体部には強度が高く高価なタイプＢの段ボール板を用いた。
【００２７】
タイプＡの段ボール板は、２枚の矩形板状の表、裏のライナーの間に、波形で高さが４．６ｍｍ〜４．７９ｍｍ、山の数が３４±２／３０（個／ｃｍ）である中芯が設けられたＡフルートと呼ばれる段ボール板である。また、表ライナー／中芯／裏ライナーは、Ｋ２８０／ＳＣＰ１６０／Ｋ２８０であるものを用いた。なお、Ｋ及び後述するＭＭはライナーのグレードを示すものであり、ＳＣＰは、セミケミカルパルプを略したものである。そして、これらの後に記載された数値は、坪量（単位面積当たりの重さ：ｇ／ｍ2 ）を示すものである。
【００２８】
タイプＢの段ボール板は、３枚の矩形板状の表、中、裏のライナーの間に、波形で高さが４．６ｍｍ〜４．７９ｍｍ、山の数が３４±２／３０（個／ｃｍ）である中芯がそれぞれ配置されたＡＡフルートと呼ばれる段ボール板である。また、表ライナー／中芯／中ライナー／中芯／裏ライナーは、Ｋ４４０／ＳＣＰ１６０／Ｋ２２０／ＳＣＰ１６０／Ｋ４４０であるものを用いた。このように構成した比較例の段ボール箱は、圧縮強度が２．９ｔｏｎ・ｆであった。そして、箱当たりの重量は９．５ｋｇであった。
【００２９】
［実施例］
実施例は、本発明を実施した段ボール箱である。この段ボール箱は、高さが７３０．０ｍｍである。段ボール箱の水平断面は縦横比の等しい八角形であり、縦幅Ｌｄ、横幅Ｗｄともに９５２．６ｍｍである。八角形は交互に連なるように配置された長辺と短辺とから構成され、長辺の長さＹは５４８．３ｍｍ、短辺の長さＺは２１５．３ｍｍ、長辺と短辺の長さの比Ｙ／Ｚは約３．０である。また、この八角形の面積は、８８３９５０．５ｍｍ2 である。
【００３０】
この段ボール箱の蓋板は、縦幅Ｌｅ、横幅Ｗｅがともに１４６０ｍｍであり、面積が２２１３１６００．０ｍｍ2 である正方形の段ボール板から打ち抜いて形成される。段ボール箱を形成するにあたり、蓋体の材料としては比較例の段ボール箱と同様にタイプＡの段ボール板を用いた。一方、胴体部の材料としては、タイプＢの段ボール板よりも強度が弱いが軽量で安価であるタイプＣの段ボール板を用いた。
【００３１】
タイプＣの段ボール板は、３枚の矩形板状の表、中、裏のライナーの間に、波形で高さが４．６ｍｍ〜４．７９ｍｍ、山の数が３４±２／３０（個／ｃｍ）である第１の中芯と、波形で高さが２．４９ｍｍ〜２．８ｍｍ、山の数が５０±２／３０（個／ｃｍ）である第２の中芯とがそれぞれ配置されたＡＢフルートと呼ばれる段ボール板である。また、表ライナー／第１中芯／中ライナー／第２中芯／裏ライナーは、Ｋ２８０／ＳＣＰ１６０／Ｋ２８０／ＭＭ２００／Ｋ２８０であるものを用いた。
【００３２】
このように構成した実施例の段ボール箱は、圧縮強度が２．２ｔｏｎ・ｆであった。そして、箱当たりの重量が８．０ｋｇであった。また、比較例の段ボール箱を基準としたときに、実施例の段ボール箱の箱当たりの値段が約半分であった。さらに、比較例の段ボール箱を設置する長方形のパレットを基準にしたときに、実施例の段ボールを設置する正方形のパレットは、１パレット当たり１５％下がった。
【００３３】
［評価］
実施例と比較例の段ボール箱は、どちらも８０００本の写真フイルムを収容できた。このため、高さを低く抑えることのできた実施例の段ボール箱の方が、比較例の段ボール箱よりも収容効率が高いことが分かった。また、実施例の蓋体は、比較例の蓋体よりも小さな段ボール板で形成可能であり、コストを抑えることができた。さらに、段ボール板を打ち抜いたときの抜きかすも、実施例の段ボール箱の方が少なく、抜きかすの処理が容易であった。
【００３４】
圧縮強度を調べた結果から、実施例、比較例の段ボール箱のどちらも十分な強度を有し、安全性には問題がないことが分かった。これより、実施例の段ボール箱は、坪量を減らし強度の弱いＣタイプの段ボール板にて胴体部を形成したにもかかわらず十分な強度を有することが出来たので、比較例の段ボール箱よりも形状的に優れていることが確認できた。また、坪量を減らしたため、実施例の段ボール箱の方が軽く、組み立て、解体の際の取り扱い性が向上できた。さらに、Ｃタイプの段ボール板は安価であるので、実施例の段ボール箱の方が、コストを抑えることができた。また、実施例の段ボール箱を設置するパレットの値段は、比較例のそれよりも安いのでさらにコストを抑えることができた。
【００３５】
以上のように、実施例の段ボール箱は、材料として使用する段ボール板の面積を減らしながら十分な内容量を確保できる。また、材料に坪量を下げた安価な段ボール板を用いても十分な耐荷重性を得られる。これにより、本発明を実施することによって、軽量で取り扱い性が良く、コストの安い段ボール箱を提供できることが確認できた。なお、上記実施例は、本発明を限定するものではないので、適宜、仕様の変更を行うことができる。
【図面の簡単な説明】
【００３６】
【図１】段ボール箱の外観図である。
【図２】蓋体の展開図である。
【図３】胴体部の展開図である。
【図４】正方形の蓋板を有する蓋体の展開図である。
【図５】実施例と比較例との違いを表す図表である。
【図６】実施例と比較例との違いを表す図表である。
【符号の説明】
【００３７】
１０    段ボール箱
１３、６０    蓋体
１５    胴体部
１７    パレット
２０、６１    蓋板
２３、６３    第１側面板
２５、６７    第２側面板
２７、６３    段ボール板
３０    長辺
３３    短辺
４０、４５、５０    折り返し線  
４３、６５    係止片
５３    第１側壁板
５５    第２側壁板
【図１】
2005096803.tif 000003
【図２】
2005096803.tif 000004
【図３】
2005096803.tif 000005
【図４】
2005096803.tif 000006
【図５】
2005096803.tif 000007
【図６】
2005096803.tif 000008